(57)【要約】アイコン／オブジェクトと、ある人が自分を関連付ける値の一部を記述する属性との明示的な関連付けの方法である。その人は、１つ以上のアイコン／オブジェクトを所有／獲得し得る。アイコン／オブジェクトは、ラベリング技術に関連して、オブジェクトプロファイルのアクセスを可能にする。オブジェクトプロファイルからの情報を用いて、パーソナリティプロファイルの属性が、その人に関して編集される。このパーソナリティプロファイルは、広告、マーケティング、及び他のサービスをその人に合わすよう用いることのできる、その人についての明示的な、定量化されたイメージを投影する。
2004534296.tif 000002
【特許請求の範囲】
【請求項１】
ある人に関連するプロファイルを作成する方法であって、
上記ある人に関連付けられる少なくとも１つのオブジェクト又はアイコンを識別する段階と、
上記オブジェクト又はアイコンに関連する情報を、タグを介して受信する段階と、
上記タグから受信した上記情報に応じてオブジェクトプロファイルにアクセスする段階と、
上記ある人に関連付けられる一意のプロファイルにアクセスする段階と、
上記オブジェクトプロファイルに応じて上記一意のプロファイルを修正する段階と、を含む方法。
【請求項２】
上記一意のプロファイルにアクセスするのを容易にする鍵を受信する段階を更に含む請求項１記載の方法。
【請求項３】
上記鍵は、クレジットカード番号、社会保障番号、声紋、車両識別番号（ＶＩＮ）、又は、一意の乱数である請求項２記載の方法。
【請求項４】
上記オブジェクトプロファイルは、少なくとも１つの識別子を含み、上記一意のプロファイルは複数の調節可能な値を含む請求項１記載の方法。
【請求項５】
上記修正段階は、上記識別子に基づいて上記調節可能な値を調節する段階を含む請求項４記載の方法。
【請求項６】
上記一意のプロファイルは、個人的な嗜好、社会的価値、習慣、又は、上記ある人の関心を反映する請求項１記載の方法。
【請求項７】
上記オブジェクトは、上記ある人によって所有される、小型アイコン、おもちゃ、置物、ピンボタン、又は、物理的なオブジェクトである請求項１記載の方法。
【請求項８】
上記タグは、上記オブジェクトに一体にされる、埋め込まれる、結合される、又は、適度に関連付けられる請求項７記載の方法。
【請求項９】
上記オブジェクトプロファイル及び上記一意のプロファイルは、通信ネットワークを介してアクセスされる１つ以上のデータベースに格納される請求項１記載の方法。
【請求項１０】
ある人に関連するプロファイルを作成するコードを含むメモリ媒体であって、上記コードは、
上記ある人に関連付けられる少なくとも１つのオブジェクト又はアイコンを識別するコードと、
上記オブジェクト又はアイコンに関連する情報を、タグを介して受信するコードと、
上記タグから受信した上記情報に応じてオブジェクトプロファイルにアクセスするコードと、
上記ある人に関連付けられる一意のプロファイルにアクセスするコードと、
上記オブジェクトプロファイルに応じて上記一意のプロファイルを修正するコードと、を含むメモリ媒体。
【発明の詳細な説明】
【技術分野】
【０００１】
本発明は、一般的に、パーソナリティプロファイルを作成し及び利用する分野に係り、より具体的には、タグ付き物理オブジェクトをその所有者のパーソナリティに関連付ける方法に係る。
【背景技術】
【０００２】
物理アイテム、記念品、装飾的小物、及び、他の個人的な所有物は、所有者の嗜好、好み、及びパーソナリティを反映する。例えば、自分のオフィスにテニスラケット又はテニスラケットのアイコンを持っている人は、来客に、スポーツへの愛情又は理解を有することを伝える。ヨーロッパ製の車を運転する、又は、オフィスにヨーロッパ製の車の小型モデルを所有する女性は、特定のステイタス又は嗜好のメッセージを伝え得る。図１は、人々がどのように特定のイメージを周りに反映するよう様々なオブジェクトを関連付け得るのかを示す。そのような特徴を反映するパーソナリティプロファイルは、例えば、広告及び製品マーケティングといった様々な目的に非常に有用である。しかし、そのようなパーソナリティプロファイルをバーチャルな世界で作成することは困難である。このようなタイプの情報を手動で編集しない限り、これらの関連性をレポート又は電子データベースに変換する直接的なメカニズムはない。この点に関し、発明者は、本発明の実施例では、この問題を解決するためにスマートラベリング技術を用い得ることを認識した。
【０００３】
スマートラベリングは、バーコード、電子商品監視（ＥＳＡ）、及び従来の無線識別（ＲＦＩＤ）ソリューションの利点を組合わせた最新の無線識別（ＲＦＩＤ）技術である。ＲＦＩＤシステムは、バーコードラベルが適切に機能しない又は実用的でない製造又は他の種類の環境において、非接触読出しを可能にする。ＲＦＩＤは、その動いているオブジェクトを追跡する能力によって、自動車両認識（ＡＶＩ）システムおよび家畜識別を含む様々な範囲の市場において適用されている。この技術は、世界中の識別、自動データ収集、及び、分析システムにおいて主要な役割を果たすようになってきている。
【０００４】
例えば、フィリップス・セミコンダクタズのＩＣＯＤＥ  ＩＣは、スマートラベル技術における最先端の技術を提示し、低価格、再プログラム可能、及び、使い捨て可能なソリューションを、ソースタグ付け、自動データ捕捉、窃盗防止、製品又は製品の包装上のデータ格納に対し提供している。ＩＣＯＤＥスマートラベルは、略全てのアイテムにタグを付けることを可能にし、それにより効率のよい取扱いを可能にしている。ＩＣＯＤＥの高度に自動化されたアイテム走査処理は、照準線を必要とせず、また、同時に複数のラベルを走査することができる。
【０００５】
航空会社の荷物タグ付け及び小包サービスにおいて、スマートラベルは、分類及びアイテム追跡にかなりの利点を提供する。サプライチェーン管理システムでは、スマートラベルは、バーコード技術の限界を解決し、改善された製品流通を提供し、また、図書館及びレンタル適用においては、スマートラベルは、自動チェックイン、自動チェックアウト、及び、インベントリ制御を提供する。
【０００６】
図２に示すように、従来のＲＦＩＤシステム１０は、シリアルポート１３を介してパーソナルコンピュータ（ＰＣ）１２に接続されるタグリーダ１１を含む。ＰＣ１２は、タグ１４のトリガを読出しすると、作動し始める。情報は、通信媒体１５（例えば、インターネット、又は、イントラネット）を介して、遠隔サーバ１６と交換することができる。
【０００７】
タグリーダ１１は、一般的に、３つの構成要素を含む。即ち、
アンテナコイルと、
送受信器（デコーダを含む）と、
一意の情報で電子的にプログラムされるトランスポンダ（一般的に、ＲＦタグと称する）と、を含む。
【０００８】
アンテナは、タグを活性化するよう無線信号を発信し、それにより、タグを読出しする又はタグにデータを書込むことができる。アンテナは、タグと送受信器との間のチャネルである。アンテナは、システムのデータ捕捉及び通信の制御を支援する。アンテナにより生成される電磁場は、常に存在するか、又は、タグがセンサにより検出されるときに必要に応じて活性化されることが可能である。
【０００９】
しかし、最先端の技術を用いる方法に対し、上述した欠点を解決する必要がある。発明者は、以下に説明するように、パーソナリティプロファイルの作成を容易にするのに様々なラベリング技術を用いることにおける顕著な利点を発見した。
【００１０】
［発明の概要］
人々は、自分の周りのアイコンを用いて、自分の価値観、願い、及び望みを反映させる。これらのアイコンは、その所有者のパーソナリティの一部を暗示的に反映する。本発明の１つの面は、アイコンと、人々が自分を関連付ける価値観の一部を記述する属性との明示的な関連付けの方法を提供する。属性を用いて、当該の人に関連するパーソナリティプロファイルが構築される。このパーソナリティプロファイルは、広告、マーケティング、及び他のサービスを容易するのに用いることのできる、その人についての明示的な、定量化されたイメージを投影する。
【００１１】
本発明の１つの実施例は、ある人に関連するプロファイルを作成する方法に係る。この方法は、その人に関連付けられる少なくとも１つのオブジェクト又はアイコンを識別する段階と、そのオブジェクト又はアイコンに関する情報をタグを介して受信する段階と、タグから受信した情報に応じてオブジェクトプロファイルにアクセスする段階と、その人に関連付けられる一意のプロファイルにアクセスする段階とを含む。次に、この方法は、オブジェクトプロファイルに応じて一意のプロファイルを修正する。
【００１２】
本発明の別の実施例は、パーソナリティプロファイルを作成するコードを含むメモリ媒体に関連する。
【００１３】
本発明のこれらの及び他の特徴及び利点は、添付図面及び以下の詳細な説明からより明らかとなろう。
【発明を実施するための最良の形態】
【００１４】
図３は、本発明の１つの好適な実施例を示す。この実施例では、複数のオブジェクト３０は、それぞれ、オブジェクトに関連付けられるタグ３１を有する。オブジェクト３０は、小型アイコン、おもちゃ、置物、ピンボタン、又は、任意の物理的なオブジェクトであり得る。図３に示すオブジェクト３０のタイプは、例示的に過ぎず、制限するものではない。タグ３１は、オブジェクト３０に一体にされる、埋め込まれる、結合される、又は、適度に（ｔｅｍｐｅｒａｔｅｌｙ）関連付けられることが可能である。本発明は、ＲＦタグに制限されず、例えば、バーコードといった他のタイプの情報タグも用いてもよい。更に、タグは、オブジェクト３０に必ずしも取付けられている必要はなく、オブジェクト３０が最初に購入されたときにだけ読出しされる。
【００１５】
オブジェクト３０は、タグ３１に関連付けられる情報を介して、オブジェクト３０の所有者を反映する。例えば、図４に示すように、２つのオブジェクト３０（例えば、テニスラケット及び音楽楽器）は、ある人４０に関連付けられる／所有される。それぞれのタグ３１（オブジェクト３０に埋め込まれる／結合される）は、それぞれのドキュメント／プロファイル５０に関連付けられる。ドキュメント／プロファイル５０は、オブジェクト３０の所有者の価値観、習慣、特徴、及び／又は、個人的な願望を反映する情報５１を含む。
【００１６】
図４に示すように、この情報は、その人４０の価値観、習慣、特徴等のインジケータ５２を含む。これらのインジケータ５２は、オブジェクト３０に対し予め決められる。これは、消費者調査、市場調査、及び、世論調査を利用して行われ得る。
【００１７】
ドキュメント／プロファイル５０は、拡張マークアップ言語（ＸＭＬ）を用いて表現されることが好適である。これは、ドキュメント／プロファイル５０のインターネットを介しての転送及びアクセスを容易にする。
【００１８】
（ＸＭＬ）は、インターネットを介して供給されるコンテンツを記述する言語として急速に主要になりつつある。ＸＭＬ規格は、ＸＭＬドキュメントと称するデータオブジェクトのクラスと、そのようなドキュメントを処理するコンピュータプログラムの動作を記述する。ＸＭＬドキュメントは、エンティティと称する記憶単位で構成され、これらは、構文解析データ又は非構文解析データのいずれかを含む。構文解析データは、文字で構成され、文字の一部は文字データを形成し、文字データの一部はマークアップを形成する。所与のＸＭＬドキュメントのマークアップは、そのドキュメントの記憶レイアウトと論理構造の記述を符号化する。ＸＭＬは、記憶レイアウト及び論理構造に制限を課すメカニズムを与える。従来のＸＭＬに関する更なる詳細は、２０００年１０月のワールドワイドウェブコンソーシアム（Ｗ３Ｃ）推薦のＸＭＬ１．０（第２版）に記載される。
【００１９】
図５に示すように、パーソナリティプロファイル５３は、ある人に所有される／関連付けられるオブジェクト３０の編集に基づいて作成される。複数の重み付けされた値５４のうち１つ以上の値が、その人４０が自分自身を結びつけるオブジェクト３０に関連付けられる識別子５２に基づいて調節される（即ち、上下される）。パーソナリティプロファイル５３における重み付けされた値５４は、オブジェクト３０を社会的価値、習慣、又は、関心に関連付ける相関率を記述する。
【００２０】
パーソナリティプロファイル５３は、その人４０のパーソナリティ特徴を反映する。パーソナリティプロファイル５３は、その人４０が所有する所有物のタイプ、その人が買い物する場所、その人が買い物する日時、及び、その人４０が訪れる場所を示すためにも用い得る。
【００２１】
パーソナリティプロファイル５３は、ＸＭＬドキュメントであることが好適である。図５は、そのようなＸＭＬドキュメントの一例である。
【００２２】
図６は、本発明の１つの実施例によるパーソナリティプロファイル捕捉装置２００の１つの例示的なハードウェア設計である。装置２００は、例えば、携帯電話機、パーソナルコンピュータ（ＰＣ）、小売店のポイントオブセールズ端末、携帯情報端末（ＰＤＡ）、料金機械、自動販売機等であり得る。
【００２３】
この実施例では、装置２００は、プロセッサ２２０、及びメモリ２２２を含む。プロセッサ２２０は、例えば、マイクロプロセッサ、中央処理演算ユニット、コンピュータ、回路カード、又は、特殊用途向け集積回路（ＡＳＩＣ）を表し得る。メモリ２２２は、例えば、ディスクに基づいた光又は磁気記憶ユニット、電子メモリ、及び、これらのメモリ装置の一部又は組合せ、及び、他のメモリ装置を表し得る。装置２００は、更に、１つ以上のパーソナリティプロファイル５３と、各オブジェクト３０に関連付けられるドキュメント／プロファイル５０を格納するデータベース２２４を含み得る。
【００２４】
図示するように、装置２００は、通信ユニット２２１（例えば、イーサネット（登録商標）、ブルートゥース（登録商標）、セルラ、又は、パケットデータインタフェース）と、タグ読出しユニット２２３も含む。タグ読出しユニット２２３は、タグ読出しユニット２２３が装置２００のメモリ空間の一部となるよう装置２００と一体化されていても、又は、例えば、シリアルインタフェース２２５といったインタフェースを介してアクセスされる外部の読出しユニットであってもよい。タグ読出しユニット２２３は、ＲＦＩＤタイプのリーダであることが好適ではあるが、例えば、バーコードリーダといった他のタイプのタグ／ＩＤ生成／読出しメカニズムも使用し得る。
【００２５】
装置２００は、ネットワーク４００を介して、１つ以上の遠隔装置３００と通信することができる。インターネットは、例えば、有線接続、無線接続、又は、それらの組合せを介して、インターネットプロトコル（ＩＰ）といった周知の従来の通信プロトコルを用いて、装置２００によりアクセスされ得る。
【００２６】
動作時には、装置２００は、タグ３１から情報を受信／読出しする。タグ３１は、アクティブ又はパッシブであり得る。ＲＦタグ３１に関連付けられるドキュメント／プロファイル５０がアクセスされる。ドキュメント／プロファイル５０は、データベース２２４から直接来るか、又は、遠隔装置３００からアクセスされる情報でもよい。タグ３１には、（図３に示すように）一意の識別番号が格納され、この識別番号は、データベース２２４における適切なデータにアクセスするための重要な鍵として使用することが可能である。
【００２７】
その人４０を一意に識別する鍵５００は更に、タグリーダ２２３、シリアルインタフェース２２５、又は、通信ユニットを介して入力／受信される。例えば、鍵５００は、クレジットカード番号、社会保障番号、その人４０の声紋、その人４０の車両からの車両識別番号（ＶＩＮ）、更には、その人４０に関連付けられる一意の乱数であってよい。鍵５００に基づいて、その人４０に一意のパーソナリティプロファイル５３がアクセス／更新されるか、又は、新しいパーソナリティプロファイルが作成される。その人４０は、その鍵が入力されたことを知っていても知らなくてもよい。
【００２８】
図６に示す実施例の利点は、パーソナリティプロファイル５３の捕捉及び編集を実施するために様々なシステムアーキテクチャを用いることが可能であるという点である。サーバ側およびクライアント側のアーキテクチャを用いることが可能である。上に簡単に説明したように、遠隔装置３００は、ウェブサーバ、処理センタ、又は、インターネット又は他の通信ネットワークを介して装置２００に接続される他のデータベースであり得る。ネットワーク４００は、インターネットといった世界的なコンピュータ通信ネットワーク、ワイドエリアネットワーク、又は、メトロポリタンエリアネットワーク、ローカルエリアネットワーク、ケーブルネットワーク、衛星ネットワーク、又は、電話網、及び、これらのネットワーク及び他のネットワークの一部又は組合せを表し得る。装置２００及び遠隔装置３００は、それぞれネットワーク４００に接続されるサーバ及びクライアント機械であり得る。
【００２９】
データベース２２４は、装置２００と一体にされても、又は、外部であってもよい。データベース２２４は、必要に応じて、広告、マーケティング、調査、又は他の類似する活動のために他の人がパーソナリティプロファール５３を使用するようアクセスされてもよい。
【００３０】
上述した装置２００に関連付けられる機能的動作は、メモリ２２２内に格納されプロセッサ２２０により実行される１つ以上のソフトウェアプログラムとして部分的又は全体的に実施されうる。
【００３１】
本発明は、特定の実施例に関して説明したが、本発明は、開示した実施例に制限する意図がないことを理解するものとする。対照的に、本発明は、特許請求の範囲の技術的思想に含まれる本発明の様々な構造及び修正を含むものとする。
【図面の簡単な説明】
【００３２】
【図１】アイコン／オブジェクトがどのように特定のパーソナリティ特徴又は嗜好に関連付けられ得るのかを説明する一例を示す図である。
【図２】従来のＲＦＩＤシステムを示す図である。
【図３】アイコン／オブジェクトのタグとの関連付けを示す図である。
【図４】タグとパーソナリティプロファイルとの関連付けを示す図である。
【図５】本発明の１つの実施例によるパーソナリティプロファイルドキュメントの一例を示す図である。
【図６】本発明の別の実施例による例示的な捕捉及びプロファイル記憶装置を示すブロック図である。
【図２】
2004534296.tif 000003
【国際公開パンフレット】
2004534296.tif 000004
2004534296.tif 000005
2004534296.tif 000006
2004534296.tif 000007
2004534296.tif 000008
2004534296.tif 000009
2004534296.tif 000010
2004534296.tif 000011
2004534296.tif 000012
2004534296.tif 000013
2004534296.tif 000014
2004534296.tif 000015
2004534296.tif 000016
【国際公開パンフレット（コレクトバージョン）】
2004534296.tif 000017
【国際調査報告】
2004534296.tif 000018
2004534296.tif 000019
2004534296.tif 000020